(57)【特許請求の範囲】
【請求項１】
ハウジングと；
前記ハウジング内にあり、システムから遠隔にある通信装置と通信するトランシーバと；
前記ハウジングに取り付けられ、かつ前記トランシーバに電気的に結合されているアンテナと；
前記システムに電力を供給する電池と；
複数の特徴コードを含むメモリと；
ディスプレイと；
前記ハウジングに取り付けられ、宛先電話番号を入力しかつ前記宛先電話番号に関連する特徴コードを選択するユーザの動作を検知するキーパッド入力装置と；
前記ユーザによって入力された宛先電話番号の前に前記ユーザによって選択された特徴コードを自動的に付加し、それによって完全な宛先電話番号を生成し、前記完全な宛先電話番号をユーザ確認のために前記ディスプレイ上に表示するように構成された制御プロセッサと；
を備え、
前記制御プロセッサは選択的に動作可能とされ、前記制御プロセッサが不能にされるまで、前記ユーザによって入力された宛先電話番号へのその後に続く全ての呼び出しに対して、前記ユーザによって入力された宛先電話番号に前記関連特徴コードを自動的に付加し、
前記トランシーバは、前記ユーザ確認に応答して前記関連特徴コードが付加された前記完全な宛先電話番号を送信し、前記完全な宛先電話番号に関連した宛先通信装置との無線通信リンクを確立する、
無線通信装置。
【請求項２】
前記無線通信装置は電源投入モードおよび電源遮断モードを有し、前記制御プロセッサは、前記無線通信装置が前記電源投入モードに入ると動作可能とされ、かつ前記無線通信装置が前記電源遮断モードに入るまで、前記ユーザによって入力された宛先電話番号へのその後に続く全ての呼び出しに対して、前記ユーザによって入力された宛先電話番号に前記関連特徴コードを付加し、前記制御プロセッサは、前記無線通信装置が前記電源遮断モードに入ると不能にされる、請求項１の無線通信装置。
【請求項３】
無線通信装置において宛先電話番号に数字を自動的に付加する方法であって、
付加数字の複数のセットを記憶するステップと；
宛先電話番号のユーザ入力及び付加数字セットのユーザ選択を検知するステップと；
前記記憶された複数の付加数字セットから、付加数字のセットの付加を選択的に可能にするステップと；
選択的に可能にされると、前記ユーザにより選択された第１の付加数字のセットを前記ユーザにより入力された前記宛先電話番号に自動的に付加し、それによって完全な宛先電話番号を生成し、前記完全な宛先電話番号をユーザ確認のためにディスプレイ上に表示するステップと；
前記付加数字セットの付加を選択的に不能にするステップと、なお、前記自動的に付加するステップは、接頭付加が選択的に不能とされるステップが実行されるまで、前記第１の付加数字セットを前記ユーザによって入力された前記宛先電話番号に自動的に付加する；
前記ユーザ確認に応答して、前記完全な宛先電話番号を送信し、前記完全な宛先電話番号に関連した宛先通信装置との無線通信リンクを確立するステップと；
を備えた方法。
【請求項４】
前記自動的に付加するステップは、前記付加数字の第２のセットを前記ユーザ入力宛先電話番号に自動的に付加し、それによって完全な宛先電話番号を生成する、請求項３の方法。
【請求項５】
前記付加数字セットの付加を可能にするステップは、前記付加数字の前記第１および第２のセットに対して別々に実行される、請求項４の方法。
【請求項６】
複数の前記宛先電話番号を迅速ダイヤル記憶領域に記憶するステップをさらに含み、前記宛先電話番号のユーザ入力を検知するステップは、前記迅速ダイヤル記憶領域からの宛先電話番号のユーザ選択を検知する、請求項３の方法。
【請求項７】
前記付加数字の複数のセットを記憶するステップは、サービスプロバイダーによって前記付加数字のセットの少なくとも一部を記憶することを含む、請求項３の方法。
【請求項８】
前記付加数字の複数のセットを記憶するステップは、ユーザによって前記付加数字のセットの少なくとも一部を記憶することを含む、請求項３の方法。
【請求項９】
前記付加数字のセットの付加を選択的に不能にするステップは、前記無線通信装置が電源遮断モードに入ると実行される、請求項３の方法。
【発明の詳細な説明】
【技術分野】
【０００１】
本発明は、一般に無線通信装置、より詳細には無線通信システムにおいて特徴コード(feature codes)を使用するシステムおよび方法に関する。
【背景技術】
【０００２】
セルラ電話のような無線通信装置は、従来の電話システムの代替として広く使用されている。従来の電話の代替としての機能を果たすことに加えて、無線通信装置は携帯性の長所があり、ユーザは、地球上のほとんどいかなる地域からも地球上のほとんどいかなる他の地域へ無線通信リンクを確立させることができる。
【０００３】
典型的な無線通信装置を使用して通信リンクを確立させるために、ユーザは、所望の宛先電話番号（例えば、５５５〜１２３４）を入力し、「送信」ボタンを押す。しばしば使用される電話番号は、無線通信装置内の迅速ダイヤル記憶領域に記憶されてもよい。その番号が迅速ダイヤル記憶領域に記憶されている電話と通信リングを確立させるために、ユーザは所望の迅速ダイヤル位置を読み出し、送信ボタンを押す。
【０００４】
従来の無線通信装置の１つの欠点は、ユーザが特徴コードを使用するために付加数字を手動で入力しなければならないことである。例えば、「＊８２」のような特徴コードは、呼出識別データ（すなわち、発呼者ＩＤ）を宛先電話に送信するために、宛先電話番号(destination telephone number)の先頭に付加される(pre-pended)ことができる。同様に、発呼者ＩＤは、宛先電話番号の前に付加される「＊６７」によってブロックされることができる。迅速ダイヤル記憶位置が、電話番号５５５〜１２３４でプログラムされる場合、迅速ダイヤル位置の電話番号は、特徴コードを使用するために編集されなければならない。特徴コードを使用するために、ユーザは特徴コードおよび特徴コードの各々に関連する機能を覚えなければならない。
【０００５】
いくつかの従来技術の無線通信システムは、ユーザが迅速ダイヤル記憶位置にある電話番号の前に特徴コードを手動で付加することができる編集モードを含む。しかしながら、このようなシステムは、ユーザが編集モードに入り、所望の数字を手動で付加し、呼出しを開始するより前に編集モードを出なければならないために扱いにくい。さらに、呼出しが開始される度に、ユーザは、選択された迅速ダイヤル位置のデータを手動で編集しなければならない。
【０００６】
したがって、無線通信装置において特徴コードを宛先電話番号の先頭に自動的に付加し、それによって完全な宛先電話番号を提供するシステムおよび方法のための大きな要求があることが理解できる。本発明は、下記の説明および添付図面によって示されるように本長所および他の長所を提供する。
【発明の概要】
【０００７】
本発明は、無線通信装置において数字(digits)を宛先電話番号に自動的に付加するシステムおよび方法で実施される。典型的な実施形態では、このシステムは、ユーザが宛先電話番号を入力できるキーパッド(keypad)入力装置を備えている。メモリは、ユーザ入力(user-entered)宛先電話番号に付加される複数の付加数字のセットを含む。このシステムは、メモリからの付加数字のセットの付加を選択的に可能にするユーザ制御可能なイネーブル(enable)信号を含む。制御プロセッサは、付加数字のセットの中の第１のものをユーザ入力宛先電話番号に自動的に付加し、それによって完全な宛先電話番号を生成する。
【０００８】
典型的な実施形態では、制御プロセッサは、メモリからの付加数字のセットの中の第２のものをユーザ入力宛先電話番号に自動的に付加し、それによって完全な宛先電話番号を生成できる。このシステムは、複数の宛先電話番号を記憶する迅速ダイヤル記憶領域をさらに含んでもよい。本実施形態では、ユーザ入力宛先電話番号は迅速ダイヤル記憶領域から選択されてもよい。このシステムは、迅速ダイヤル記憶領域から選択されるユーザ入力宛先電話番号と関連する迅速ダイヤル記憶領域に記憶されたインジケータ(indicator)をさらに含んでもよい。このインジケータは、第１の付加数字のセットと、迅速ダイヤル記憶領域から選択されたユーザ入力宛先電話番号との関連を指示するために使用される。
【０００９】
一実施形態では、付加数字のセットの少なくとも一部は、サービスプロバイダーによってメモリ中に予めプログラムされる。あるいは、付加数字のセットの少なくとも一部は、ユーザによってメモリ中に予めプログラムされてもよい。
【００１０】
このシステムは、完全な宛先電話番号を表示するディスプレイを含んでもよい。このシステム内の送信機は、ユーザが所定の手法でキーパッド入力装置を作動させることによって表示された宛先電話番号を確認する場合だけ、完全な宛先電話番号を送信してもよい。
【００１１】
このシステムは、制御プロセッサが選択的に不能にされる(disabled)まで、ユーザ入力宛先電話番号への全ての続く呼出しにおいて、最初の付加数字のセットをユーザ入力宛先電話番号に付加するように選択的に作動されてもよい。あるいは、無線通信装置は、電源投入モードおよび電源遮断モードを有する。本実施形態では、無線通信装置が電源遮断モードに入るまで、ユーザ入力宛先電話番号への全ての続く呼出しにおいて、制御プロセッサは最初の付加数字のセットをユーザ入力宛先電話番号に付加する。無線通信装置が電源遮断モードに入ると制御プロセッサは不能にされる。
【図面の簡単な説明】
【００１２】
【図１】図１は、本発明の無線通信装置の典型的な実施形態の機能ブロック図。
【図２Ａ】図２Ａは、オプションが、図１の無線通信装置によって使用される接頭を選択できる技術を示す。
【図２Ｂ】図２Ｂは、図１の無線通信装置による接頭データの表示を示す。
【図２Ｃ】図２Ｃは、図１の無線通信装置による接頭データの編集を示す。
【図２Ｄ】図２Ｄは、図１の無線通信装置によって使用される接頭データを記憶する技術を示す。
【図３Ａ】図３Ａは、接頭を選択される宛先電話番号に関連付けるために図１の無線通信装置によって使用される技術を示す。
【図３Ｂ】図３Ｂは、選択された宛先電話番号と関連した接頭を記憶するために図１の無線通信装置によって使用されるディスプレイを示す。
【図４】図４は、記憶された電話番号に１つあるいはそれ以上の接頭が付加された宛先電話番号を確認するために図１の無線通信装置によって使用される技術を示す。
【図５】図５は、関連接頭および宛先電話番号を記憶するための図１の無線通信装置の動作を示す。
【図６】図６は、接頭を規定し、接頭を宛先電話番号と関連付けるための図１の無線通信装置の動作を示すフローチャートを形成する。
【図７】図７は、宛先電話番号に対して接頭を自動的に付加するための図１の無線通信装置の動作を示すフローチャート。
【発明の詳細な説明】
【００１３】
本発明は、宛先電話番号の先頭に特徴コードを自動的に付加し、それによって完全な宛先電話番号を生成する技術を提供する。本議論の目的のために、「完全な(complete)」宛先電話番号は、ユーザによって望まれる手法で所望の電話呼出しの完了に十分である宛先電話番号を生成するために、１つあるいはそれ以上の接頭数字(prefix digits)がユーザ入力の部分(partial)宛先電話番号の先頭に付加される宛先電話番号である。本議論の目的のために、「部分(partial)」宛先電話番号は、ユーザ入力電話番号がユーザによって（例えば、発呼者ＩＤで）所望される手法で電話呼出しを完了するのに十分な情報を供給しない宛先電話番号である。本発明は、部分宛先電話番号の先頭に必要な数字を自動的に付加し、それによって完全な宛先電話番号を生成する。
【００１４】
アメリカ合衆国の電話システムは、完全なローカル電話番号では７桁、また、長距離電話については１０桁の入力を必要とする。しかしながら、ユーザは、発呼者ＩＤ等のような特徴(features)を実行するために、ローカルあるいは長距離電話に接頭数字を付加しなければならない。本発明は、便利にユーザに呼出し特徴(call features)のリストを提供し、そしてユーザ入力宛先電話番号の先頭に必要な数字を自動的に付加する。さらに、下記に詳述されるように、本発明は、必要な接頭付加数字を、その後に続く電話呼出しに対して、ユーザ入力宛先電話番号に自動的に付加することができる。
【００１５】
本発明は、図１の機能ブロック図に示されたシステム１００で実施される。このシステム１００は、システムの動作を制御する中央処理装置（ＣＰＵ）１０２を含んでいる。読み出し専用メモリ（ＲＯＭ）およびランダムアクセスメモリ（ＲＡＭ）の両方を含んでもよいメモリ１０４は、命令およびデータをＣＰＵ１０２に供給する。メモリ１０４の一部も不揮発性ランダムアクセスメモリを含んでもよい。下記により詳述されるように、メモリ１０４の不揮発性ランダムアクセスメモリ部は、宛先電話番号および特徴コード(feature codes)を記憶するために使用されうる。
【００１６】
一般的にはセルラ電話のような無線通信装置で実施されるシステム１００は、システム１００と、セルサイト(cell site)コントローラ（図示されない）のような遠隔位置との間でのオーディオ通信のようなデータの送受信を可能にする送信機１０８および受信機１１０を含んでいるハウジング(housing)１０６も含んでいる。送信機１０８および受信機１１０は、トランシーバ１１２に結合されてもよい。アンテナ１１４は、ハウジング１０６に取り付けられ、トランシーバ１１２に電気的に結合される。送信機１０８、受信機１１０、およびアンテナ１１４の動作は、当該技術分野で周知であり、ここで説明する必要がない。
【００１７】
キーパッド１１８は、従来の手法で、ユーザによる動作のためにハウジング１０６に取り付けられる。後述されるように、キーパッド１０８は、宛先電話番号がユーザによって入力される便利な入力装置を提供する。キーパッドは、ユーザが記憶された宛先電話番号を逐次移動させることができる１つあるいはそれ以上のスクロールボタン１２０も含む。スクロールボタン１２０は、ユーザ入力宛先電話番号の前に付加するための特徴コードを選択する便利な技術も提供する。
【００１８】
システム１００は、宛先電話番号のようなユーザ入力データだけでなくユーザへの指示を表示するために便利に使用されるディスプレイ１２２も含んでいる。システム１００の典型的な実施形態では、ディスプレイ１２２は、電話呼出しの開始より前にユーザに関する完全な宛先電話番号を表示する。
【００１９】
部分宛先電話番号のようなユーザ入力データは、キーパッド１１８を使用してシステム１００に入力され、時々迅速ダイヤル記憶領域と呼ばれる電話番号記憶領域１２６に記憶されてもよい。電話番号記憶領域１２６は、メモリ１０４の不揮発性メモリ部に記憶されてもよいし、あるいは別個の記憶領域に記憶されてもよい。従来のメモリとして示されているが、当業者は、電話番号記憶領域１２６が任意の適当なデータ構造であってもよいことが理解できる。
【００２０】
システム１００は、宛先電話番号を一時的に記憶するダイヤル(dialed)数字記憶領域１３２も含む。ダイヤル数字記憶領域１３２は、ユーザが所望の宛先電話番号を手動で入力する場合、キーパッド１１８を介してユーザによって入力された部分電話番号を受け取る。しかしながら、システム１００は、記憶された宛先電話番号のユーザ選択宛先電話番号に応じて電話番号記憶領域１２６から選択された部分宛先電話番号をダイヤル数字記憶領域１３２に自動的に入力する。
【００２１】
接頭記憶領域１２８は、電話サービスプロバイダーによって予め規定されてもよいし、あるいはユーザによって規定されてもよい１つあるいはそれ以上の特徴コードを記憶するために使用される。下記に詳述されるように、ユーザは、接頭記憶領域１２８から特徴コードを容易に選択し、それらを部分宛先電話番号に付加し、完全な宛先電話番号を生成できる。一旦ユーザによって選択されると、特徴コードは、その後に続く特定の宛先電話番号への呼出しに対して自動的に付加されてもよいし、あるいはその後に続く全ての入力宛先電話番号に付加されてもよい。
【００２２】
ユーザが部分宛先電話番号を入力するか、あるいは部分宛先電話番号を電話番号記憶領域１２６から選択すると、部分宛先電話番号は、完全な宛先電話番号を生成するために特徴コードを付加することによって補充される。完全な宛先電話番号はダイヤル数字記憶領域１３２に記憶される。動作では、送信機１０８がダイヤル数字記憶領域１３２中のデータを送信し、その電話番号がダイヤル数字記憶領域に記憶される宛先電話への電話呼出しを開始する。
【００２３】
呼出し履歴領域１３４は、所定の数の以前にダイヤルされた宛先電話番号を記憶する。例えば、呼出し履歴記憶領域１３４は、最後の１０個の電話呼出しからの宛先電話番号を記憶してもよい。電話呼出しが開始される場合、ダイヤル数字記憶領域１３２中のデータは、呼出し履歴記憶領域に転送される。呼出し履歴記憶領域１３４は、以前にダイヤルされた電話番号を読み出すために便利に使用される。典型的な実施形態では、完全な宛先電話番号は呼出し履歴記憶領域１３４に記憶される。他の実施形態では、部分宛先電話番号だけが呼出し履歴記憶領域１３４に記憶される。この、他の実施形態では、ユーザは、呼出し履歴記憶領域１３４に記憶された宛先電話番号を使用する場合、特徴コードが部分宛先電話番号に付加されるかどうかを選択的に制御することができる。
【００２４】
システム１００の構成要素は電池１４０によって電力を供給される。典型的な実施形態では、電池１４０は再充電可能な電池である。一方、システム１００は、ＡＣアダプタ（図示せず）、自動車電源アダプタ（図示せず）等のような外部電源によって電力を供給されてもよい。
【００２５】
システム１００の種々の構成要素は、データバスに加えて電力バス、制御信号バス、および状態信号バスを含んでもよいバスシステム１４２によって一緒に結合される。しかしながら、明瞭化のために、図１では種々のバスはバスシステム１４２として示される。
【００２６】
次に、接頭を部分宛先電話番号に付加するシステム１００の動作が説明される。典型的な実施形態では、接頭記憶領域１２８は下記の表に示される構造を有する。
【表１】
0004944155.tif 000002
【００２７】
表１は、各々が接頭数字および接頭数字の定義あるいは記述を含む１０個の接頭記憶位置を示している。定義／記述中の接頭記憶位置の数、接頭数字の数および文字の数は接頭記憶領域１２８の記憶容量のみによって限定されることを理解すべきである。本発明は接頭記憶領域１２８の特定のサイズによって限定されない。一つの実施形態では、発呼者ＩＤのような特徴コードは、製造者によって予めプログラムされてもよいし、あるいは無線通信装置が購入された時点でサービスプロバイダーによって予めプログラムされてもよい。一方、ユーザは、エリアコード、長距離コード等のような所望の特徴コードあるいは付加接頭を入力してもよい。表１は、特徴コードおよび長距離コードの組み合わせが接頭記憶領域１２８に入力された場合の本実施形態を示している。例えば、接頭番号５は、特徴コード（すなわち、＊８２）およびエリアコード（すなわち、６１９）の両方を含んでいる。このように、ユーザは１つあるいはそれ以上の特徴コードあるいは他の接頭を接頭記憶領域１２８に入力してもよい。
【００２８】
図２Ａ〜２Ｄは、データを接頭記憶領域１２８に入力するために使用されるプログラミング技術の例を提供する。無線通信装置中のオプションリストの使用は周知である。図２Ａでは、ディスプレイ１２２に示されたオプションリストは接頭リストオプションを含んでいる。ユーザは、公知のようにスクロールボタン１２０を操作し、接頭リストオプションを選択する。図２Ｂでは、接頭リストオプションが選択され、最初の接頭（すなわち、接頭０）がディスプレイ１２２に示される。ユーザは、接頭記憶領域１２０から異なる接頭を選択するためにダウンスクロールボタン１２０を付勢してもよいし、あるいは現在表示されている接頭を編集するためにアップスクロールボタン１２０を付勢してもよい。図２Ｃは、現在表示されている接頭を編集する例を示している。図２Ｃでは、前のエリアコードは、エリアコード６１９と取り換えられ、ユーザ入力接頭の記述は、エリアコードがサンディエゴエリアに対応することを示している。ユーザは、現在表示されているエントリをさらに編集するためにアップスクロールボタン１２０を付勢してもよいし、あるいは現在表示されているデータに対して行われた編集変更を確認するためにダウンスクロールボタン１２０を付勢してもよい。ユーザがダウンスクロールボタン１２０を付勢し、編集された表示を確認する場合、システム１００は、新しい項目が接頭記憶領域１２８に付加されるべきであるかどうかをユーザに問い合わせるために図２Ｄの表示に変えてもよい。ユーザは所望のようにアップダウンスクロールボタン１２０を付勢する。ユーザがアップスクロールボタン１２０を付勢する場合、編集データは接頭記憶領域１２８に記憶される。ユーザは、同様に接頭記憶領域中の他のエントリを編集してもよい。当業者は、無線通信装置中でオプションを選択するために一般的に使用される他の技術が接頭記憶領域１２８中に新しいデータを入力するか、あるいは接頭記憶領域中の既存エントリを編集するために使用できることを理解できる。
【００２９】
接頭は、接頭記憶領域１２８から選択され、キーパッド１１８（図１を参照）を介してユーザによって入力された部分宛先電話番号と関連してもよいし、あるいは電話番号記憶領域１２６中の迅速ダイヤル電話番号と関連してもよい。下記の表は、１つあるいはそれ以上の接頭を電話番号記憶領域１２６中に記憶された部分宛先電話番号と関連付けるために使用される技術の典型的な実施形態を提供する。
【表２】
0004944155.tif 000003
【００３０】
表２に示されるように、いくつかの迅速ダイヤル記憶位置が電話番号記憶領域１２６中で使用可能である。使用可能な実際の記憶位置の数は、ユーザに使用可能な不揮発性ＲＡＭの量のような要素によって決まる。しかしながら、本発明は、電話番号記憶領域１２６中の特定数の使用可能な記憶位置によって限定されない。表２に示された例では、記憶位置０は部分宛先電話番号５５５〜１２３４を含む。また記憶位置０と関連して表２に記憶されるのは接頭２および０である。接頭関連値は、適切な接頭が検出され、記憶された番号に自動的に付加され、それによって完全な宛先電話番号を生成するところの、接頭記憶領域１２８内の位置を示している。表２に示された例では、記憶位置０は、表１の例を使用する接頭記憶領域１２８中の記憶された部分宛先電話番号５５５〜１２３４および接頭＊８２および３１２のそれぞれに対するポインタを含んでいる。表１に示された例は、記憶位置０のシカゴエリアに対応するエリアコード３１２を含んでいる。しかしながら、図２Ａ〜２Ｄに示された例では、接頭番号０は、サンディエゴエリアに関連した接頭６１９に対して編集された。この例では、電話番号記憶領域１２６中の迅速ダイヤル記憶位置０中の接頭関連はエリアコード６１９を含む。したがって、ユーザが電話番号記憶領域１２６から迅速ダイヤル記憶位置０を読み出す場合は常に、関連接頭は自動的に記憶された電話番号に付加され、それによって完全な宛先電話番号を生成する。
【００３１】
他の例では、迅速ダイヤル記憶位置４は記憶された電話番号５５５〜１２３５を含む。迅速ダイヤル記憶位置４と関連しているのは、表１を参照する場合、エリアコード６１９とともに特徴コード＊８２を含む接頭５である。したがって、ユーザが迅速ダイヤル位置４を電話番号記憶領域１２６から選択する場合、システム１００は、記憶電話番号５５５〜１２３５に対して自動的に＊８２  ６１９を付加し、それによって完全な宛先電話番号＊８２  ６１９  ５５５−１２３５を生成する。
【００３２】
接頭記憶領域１２８からの選択された接頭を電話番号記憶領域１２６中の迅速ダイヤル位置と関連付ける処理が、図３Ａおよび図３Ｂに示されている。図３Ａでは、ユーザは、従来の技術を使用して、部分宛先電話番号５５５―１２３４を含む迅速ダイヤル記憶位置０中の部分宛先電話番号を読み出した。ユーザは、ダウンスクロールボタン１２０を付勢することによって迅速ダイヤル記憶位置０を編集してもよい。ダウンスクロールボタン１２０の付勢に応じて、システム１００は、接頭記憶領域１２８に記憶される接頭リストの現在の内容を表示する。図３Ｂでは、接頭位置０はディスプレイ１２２に表示される。図３Ｂの例では、接頭位置０は編集され（図２Ａ〜２Ｄを参照）、サンディエゴエリアに関連したエリアコード６１９を現在含んでいる。ユーザは、ダウンスクロールボタン１２０を付勢することによって接頭記憶領域１２８（図１を参照）中に記憶される接頭リストから異なる接頭を選択してもよい。ユーザが、表示された接頭を関連付けたい場合、ユーザは、アップスクロールボタン１２０を付勢し、接頭関連を、選択された迅速ダイヤル記憶位置に付加する。ユーザがアップスクロールボタン１２０を付勢する場合、接頭関連は、選択された迅速ダイヤル記憶位置に関連する電話番号記憶領域１２６に記憶される。したがって、システム１００は、ユーザが１つあるいはそれ以上の接頭を電話番号記憶領域１２６に記憶される電話番号に付加できる、簡単で、汎用性のある技術を提供する。例えば、サンディエゴエリアからのユーザは、少しの付加接頭も付加しないで迅速ダイヤル記憶位置４中の電話番号を通常使用してもよい。しかしながら、サンディエゴエリアの範囲外の地域に旅行する場合、ユーザは、記憶された電話番号と関連付けるために１つあるいはそれ以上の接頭を迅速に選択でき、ユーザが電話番号記憶領域１２６中の選択された迅速ダイヤル位置をその後読み出すときは常に、記憶された電話番号に自動的に付加される。上記の表２に示された例では、システム１００は、＊８２  ６１９を迅速ダイヤル記憶位置４の部分宛先電話番号５５５〜１２３５に自動的に付加する。
【００３３】
典型的な実施形態では、システム１００は、電話番号記憶領域１２６から選択された部分宛先電話番号に関連接頭を自動的に付加する。他の実施形態では、システム１００は、完全な宛先電話番号が正しいことをユーザからの確認を要求してもよい。これは、完全な宛先電話番号がユーザによる確認を要求するメッセージとともにディスプレイ上に示されている図４に示される。ユーザがアップスクロールボタン１２０を付勢する場合、システム１００は、完全な宛先電話番号に関連した通信装置と無線通信装置との間の無線通信リンクを開始する。
【００３４】
典型的な実施形態では、システム１００は、無線通信装置がターンオフされるまで、選択された接頭を記憶する。この時点で、全接頭関連は削除される。しかしながら、電話番号記憶領域１２６（図１を参照）に記憶される宛先電話番号は削除されない。あるいは、無線通信装置への電力がターンオフされた後でさえも関連接頭が保持されるべきであるかどうかを決定するためにユーザにメッセージを表示できる。これは図５に示され、そこでは、ディスプレイ１２２がユーザに、関連接頭を永久に記憶するために、アップスクロールボタン１２０を選択するか、あるいはダウンスクロールボタン１２０を付勢することによって電源がオンのままである間は関連接頭を一時的に記憶するかのオプションを与える。
【００３５】
システム１００の典型的な実施形態の動作は図６の（Ａ）および(Ｂ）のフローチャートに示されている。図６の（Ａ）に示された開始１５０で無線通信装置は電源投入状態にある。判定１５２で、システム１００は、ユーザが接頭エントリを編集したいかどうかを決定する。このステップの例は、ユーザによる選択のためにオプションリストがディスプレイ１２２上に示されている図２Ａに示されている。ユーザが接頭リストオプションを選択すると、判定１５２の結果はイエスである。この場合、ステップ１５４では、システム１００は、接頭記憶領域１２８（図１を参照）からの接頭リストをディスプレイ１２２上に表示する。ステップ１５８では、システム１００は、キーパッド１１８のユーザ付勢を検出し、接頭の中の１つをリストから選択する。前述のように、ユーザは、例として、スクロールボタン１２０を付勢し、編集のための所望の接頭を選択する。
【００３６】
ステップ１６０では、システム１００は、キーパッド１１８および／またはスクロールボタン１２０のユーザ付勢を検出し、選択された接頭エントリを編集する。判定１６２では、システムは、ユーザがより多くの接頭エントリを編集したいかどうかを決定する。ユーザは、単一の編集セッションに１つあるいはそれ以上の接頭エントリを編集してもよい。この編集は、接頭記憶領域１２８（図１を参照）にあるデータを変え、新しい接頭データを接頭記憶領域の以前に使用されていない位置に入力するか、あるいは既存の接頭データを接頭リストから取り除くことを含んでもよい。ユーザが接頭リスト１２８中の付加エントリを編集したい場合、判定１６２の結果はイエスである。この場合、システム１００は、ステップ１５４に戻り、ユーザによる付加編集のための接頭リストを表示する。ユーザが編集処理を完了した場合、判定１６２の結果はノーである。この場合、図６の（Ｂ）に示された判定１６６では、システム１００は、ユーザが編集されたリストを保存したいかどうかを決定する。これは、ユーザが新しく編集された接頭データを接頭記憶領域１２８に付加するか否かを確認するように要求される図２に示されている。ユーザが編集データを保管したい場合、判定１６６の結果はイエスであり、システム１００は、ステップ１６８で編集データを接頭記憶領域１２８中に保管し、１７０で編集処理を終了する。ユーザが編集リストを保管したくない場合、判定１６６の結果はノーであり、この処理は、編集接頭データを接頭記憶領域１２８に保管しないで１７０で終了する。
【００３７】
部分宛名電話番号を電話番号記憶領域１２６（図１を参照）から読み出し、選択され
た接頭データを自動的に付加するシステム１００の動作は図６の（Ａ）のフローチャートにも示されている。再び図６の（Ａ）に戻り、ユーザが接頭エントリを編集したくない場合、判定１５２の結果はノーである。ステップ１８０では、システム１００は、キーパッド１１８および／またはスクロールボタン１２０のユーザ付勢を検出し、部分宛名電話番号を電話番号記憶領域１２６から読み出す。電話番号記憶領域１２６中の特定迅速ダイヤル位置からのデータの読み出しは周知のように行われ、図３Ａの典型的な実施形態で示される。ステップ１８２では、システム１００は接頭リストの少なくとも一部をディスプレイ１２２上に表示する。ユーザは、選択された部分宛名電話番号に関連する１つあるいはそれ以上の接頭を選択する。この処理は、電話番号記憶領域１２６から選択された迅速ダイヤル位置が接頭記憶領域１２８から選択された１つあるいはそれ以上の接頭に関連している図３Ａおよび図３Ｂに示されている。
【００３８】
判定１８８で、ユーザは、選択された部分宛名電話番号に関連する接頭の選択を確認するように要求される。ユーザが選択を確認しない場合、判定１８８の結果はノーであり、システムは、１つあるいはそれ以上の他の接頭を選択された部分宛名電話番号と関連付けるために接頭リストを表示するためのステップ１８２に戻る。ユーザが接頭の選択を確認する場合、判定１８８の結果はイエスであり、ステップ１９０では、システム１００は、接頭関連を電話番号記憶領域１２６に記憶する。この処理は１９２で終了する。したがって、ユーザは、カスタマイズ化された(customized)接頭リストを作成し、１つあるいはそれ以上の接頭を電話番号記憶領域１２６からの選択された宛名電話番号と関連づけることができる。あるいは、前述のように、ユーザは、無線通信装置の製造者あるいは無線通信装置が購入され、操作のためにプログラムされる時点でサービスプロバイダーによって接頭リスト１２８に予めプログラムされる特徴コードに限定されてもよい。
【００３９】
１つあるいはそれ以上の接頭を自動的に付加するシステム１００の動作は、開始２００で無線通信装置が電力投入状態である、図７のフローチャートに示される。ステップ２０２では、システム１００は、ユーザ入力を検出し、宛名電話番号の中の選択された１つを電話番号記憶領域１２６から読み出す。ステップ２０４では、システム１００は、選択された部分宛名電話番号と関連する１つあるいはそれ以上の接頭を接頭記憶領域２８から読み出す。上記の表２に示されるように、システム１００は、接頭記憶領域１２８（図１を参照）中の複数の接頭記憶位置からの接頭を電話記憶領域１２６中の各迅速ダイヤル位置と関連付けることを可能にする。
【００４０】
ステップ２０８では、システム１００は、関連した接頭を部分宛名電話番号に付加し、それによって完全な宛名電話番号を生成する。ステップ２１０では、完全な宛名電話番号がディスプレイ１２２（図１を参照）上に示される。判定２１２では、ユーザは、接頭を部分宛名電話番号に付加することを確認するように要求される。ステップ２１０に示された表示および確認ならびに判定は任意であるが、ユーザに、付加される数字の選択を確認する機会を与えることに注目すべきである。ユーザが表示された完全な宛名電話番号を確認しない場合、判定２１２の結果はノーであり、システムは、電話番号を電話番号記憶領域１２６から読み出すことによってこの処理を再開始するためにステップ２０２に戻る。ユーザがディスプレイ１２２上に示された完全な宛名電話番号を確認する場合、判定２１２の結果はイエスである。この場合、送信機１０８（図１を参照）は、完全な宛名電話番号をセルサイト(a cell site)コントローラ（図示せず）のような遠隔位置に送信し、２１６でこの処理を終了する。
【００４１】
このように、システム１００は、特徴コード、エリアコード等のような接頭をプログラミングすることにおいて顕著な汎用性をもたらし、１つあるいはそれ以上の接頭を記憶された宛名電話番号と関連付ける簡単な技術をもたらす。システム１００のいろいろの実施形態が前述された。例えば、接頭記憶領域１２８は、ユーザが、予めプログラムされる特徴コードの選択に制限されるように製造者あるいはサービスプロバイダーによって予めプログラムされてもよい。あるいは、システム１００は、ユーザによって望まれる特徴コードだけを選択するプログラミング機能をユーザに与えてもよい。さらに、ユーザは、エリアコード、長距離コード等のような他の接頭データも入力してもよい。接頭記憶領域１２８は個別の接頭あるいは接頭の組み合わせを含んでもよい。
【００４２】
さらに、電話番号記憶領域１２６中の選択された迅速ダイヤル記憶位置は、接頭記憶位置１２８からの１つあるいはそれ以上の接頭と関連してもよい。前述のように、複数の単一接頭は、電話番号記憶領域１２６中の選択された宛名電話番号と関連してもよい。あるいは、接頭記憶領域１２８は単一の記憶位置内に複数の接頭を含んでもよい。本実施形態では、接頭記憶領域１２８からの単一の接頭記憶位置だけが、選択された宛名電話番号と関連付けられる必要がある。さらに、電話番号記憶領域１２６の複数の迅速ダイヤル位置は、接頭記憶領域１２８中の同じ接頭と関連してもよい。例えば、接頭＊８２は、電話番号記憶領域１２６のいくつかの部分宛名電話番号に関連してもよい。
【００４３】
システム１００は、たとえ無線通信装置への電力がターンオフされるとしても、永久に関連接頭を記憶する複数のオプションももたらす。他の実施形態では、無線通信装置への電力がターンオフされるまで、ユーザは、選択された接頭を選択された宛名電話番号とだけ一時的に関連付けるように編集してもよい。
【００４４】
たとえ本発明の種々の実施形態および利点が前述の説明で詳述されるとしても、上記の開示は例示だけであり、変更は細部において行われてもよく、本発明の幅広い原理内であることも理解すべきである。したがって、本発明は添付された請求の範囲によってのみ限定されるべきである。
【図１】
0004944155.tif 000004
【図２Ａ】
0004944155.tif 000005
【図２Ｂ】
0004944155.tif 000006
【図２Ｃ】
0004944155.tif 000007
【図２Ｄ】
0004944155.tif 000008
【図３Ａ】
0004944155.tif 000009
【図３Ｂ】
0004944155.tif 000010
【図４】
0004944155.tif 000011
【図５】
0004944155.tif 000012
【図６】
0004944155.tif 000013
【図７】
0004944155.tif 000014